(57)【要約】【課題】ルーターの使用者に手間をかけさせることなく、かつ、ルーターとインターネットから構成されるネットワークとは別のネットワーク構成要素である携帯電話機を用いてルーターのネットワーク設定を可能にするネットワーク設定システム及びネットワーク設定方法を提供する。【解決手段】サーバーは、ルーター特定情報を取得し、この取得したルーター特定情報に基づいて設定プログラムを送信する。携帯端末機は、このサーバーから送信された設定プログラムを受信し、かつ、上記設定プログラムに基づいてルーター設定情報をルーターへ送信する。すると、上記ルーター設定情報がルーターに設定される。【選択図】図１
2005236398.tif 000002
【特許請求の範囲】
【請求項１】
インターネットに接続可能なルーターのネットワーク設定システムにおいて、
ルーター特定情報を取得するとともにこの取得したルーター特定情報に基づいて設定プログラムを送信する通信手段を有するサーバーと、
このサーバーから送信された設定プログラムを受信し、かつ、上記設定プログラムに基づいてルーター設定情報をルーターへ送信する通信手段を有する携帯端末機と、
上記ルーター設定情報が設定されるルーターと
を備えることを特徴とするネットワーク設定システム。
【請求項２】
上記携帯端末機とルーターは直接接続される
ことを特徴とする請求項１記載のネットワーク設定システム。
【請求項３】
上記携帯端末機とルーターは情報端末機を介して接続される
ことを特徴とする請求項１記載のネットワーク設定システム。
【請求項４】
上記サーバーは、
ルーターのメーカー名、機種名、型番等のルーター特定情報が入力されるとそのルーター特定情報から設定プログラムデーターベースを検索し、この検索された設定プログラムと生成されたルーター設定情報を携帯端末機に送信する
ことを特徴とする請求項１記載のネットワーク設定システム。
【請求項５】
上記設定プログラムは、
携帯端末機で読み取り、取得されたＵＲＬに基づき、サーバーを介してルーターのメーカーサイトへアクセスさせ、該メーカーサイトから取得する
ことを特徴とする請求項１記載のネットワーク設定システム。
【請求項６】
上記携帯端末機とルーターとは短距離通信手段により接続される
ことを特徴とする請求項１記載のネットワーク設定システム。
【請求項７】
上記ルーター設定情報は、
ルーターのメーカー名、機種名、型番等のルーター特定情報がサーバーに入力されると、このルーター特定情報に基づいて生成される
ことを特徴とする請求項１記載のネットワーク設定システム。
【請求項８】
上記ルーター設定情報の中には、
少なくともＩＰアドレス取得方法、接続ユーザー名、接続パスワードが含まれる
ことを特徴とする請求項１記載のネットワーク設定システム。
【請求項９】
インターネットに接続可能なルーターのネットワーク設定方法において、
上記ネットワークを構成するサーバーは、
ルーター特定情報を取得するとともに、この取得したルーター特定情報に基づいて設定プログラムを携帯端末機に送信し、
この携帯端末機を介して上記ルーターをインターネットに接続させる
ことを特徴とするネットワーク設定方法。
【発明の詳細な説明】
【技術分野】
【０００１】
本発明は、インターネットに接続可能なルーターのネットワーク設定に関し、特に、ユーザーによる特別な設定作業を要することなく上記ネットワーク設定を可能にするネットワーク設定システム及びネットワーク設定方法に関する。
【背景技術】
【０００２】
ルーターをネットワークに接続し、ネットワークを使用可能とするためには、種々の設定が必要であり、ルーター使用者はネットワークに接続するための固有の情報、例えば、ＩＰアドレス、サブネットマスク、ゲートウェイアドレス、プライマリＤＮＳ、セカンダリＤＮＳ等の情報をルーターに設定する必要がある。
【０００３】
従来、このルーターをネットワークに接続させる方法としては、次のような方法がある。まず、インターネット接続会社にインターネットの接続の申し込みをする。すると、この申し込みに基づいてインターネット接続会社からルーターに必要な設定情報が記載された用紙が送付される。この送付された用紙に記載された設定情報を、パーソナルコンピューターとルーターを接続した後にパーソナルコンピューターのキーボード等を利用して手作業により入力することにより行うという方法がある。
【０００４】
このような方法は、インターネットに詳しい使用者であれば可能であるが、インターネットの知識に乏しい使用者においてはこのような方法は採ることができず、このような使用者は、インターネット接続会社に出張サービスを申し込み、この会社の作業員を派遣してもらい設定を行ってもらうという方法を採っている。
【０００５】
しかしながら、上記の方法においては、手作業や作業員を手配するという煩わしさが伴い、使用者においては面倒である。
【０００６】
これに対し、使用者自身によるＩＰアドレス等の情報の設定作業や作業員を手配して設定してもらう等の上記のような方法を用いずに、ルーターのインターネット接続を容易にするものとして特許文献１のようなものもある。
【０００７】
この特許文献１のものは、ルーター等の管理対象機器にＩＰアドレス等の通信パラメータを設定するのを容易にするものであり、コンピューター等の管理機器とルーター等の管理対象機器に夫々ＩＣカードを挿入するためのＩＣカードドライブが設けられている。そして、この管理機器のＩＣカードドライブにＩＣカードを挿入し、通信パラメータをＩＣカードに格納する。次に、この通信パラメータが格納されたＩＣカードを管理対象機器のＩＣカードドライブに挿入し、このＩＣカードに格納された通信パラメータを読み取る。すると、この読み取られた通信パラメータがルーターに設定されるという構成である。
【０００８】
このようなＩＣカードを利用した設定方法においては、上記したような手作業や作業員の手配等にかかる使用者の手間は省けるが、その一方において、上記のようにＩＣカードの挿入行為を２度もしなければならず、また、この通信パラメータを格納させるためには、管理表作成プログラムが必要であり、このプログラムを、ＣＤ−ＲＯＭなどの記録媒体により入手しなければならず、使用者にとっては手間である。
【０００９】
また、このような記憶媒体による入手でなくインターネットなどによるダウンロードという方法も考えられるが、未だインターネットに接続可能状態となっていない場合においては、このような方法による上記プログラムの入手はできない。
【００１０】
【特許文献１】特開２００３−０２３４２４号公報
【発明の開示】
【発明が解決しようとする課題】
【００１１】
この発明は、このような事情に鑑みてなされたもので、その目的とするところは、使用者に手間をかけさせることなく、かつ、ルーターとインターネットから構成されるネットワークとは別のネットワーク構成要素である携帯電話機を用いてルーターのネットワーク設定を可能にするネットワーク設定システム及びネットワーク設定方法を提供することにある。
【課題を解決するための手段】
【００１２】
上記目的を達成するために、第１の本発明は、インターネットに接続可能なルーターのネットワーク設定システムにおいて、ルーター特定情報を取得するとともにこの取得したルーター特定情報に基づいて設定プログラムを送信する通信手段を有するサーバーと、このサーバーから送信された設定プログラムを受信し、かつ、この受信した設定プログラムに基づいてルーター設定情報をルーターへ送信する通信手段を有する携帯端末機と、上記ルーター設定情報が設定されるルーターとを備えることを特徴とする。
【００１３】
上記「携帯端末機」の中には、携帯電話機、ＰＤＡ等が含まれる。
【００１４】
上記第１の本発明では、サーバーから送信される設定プログラムとルーター設定情報により携帯端末機を介してルーターのネットワーク設定を行うという構成である。従って、ルーターの使用者は、ルーターのネットワーク設定を業者に依頼したり、自己によるネットワーク設定に必要な情報を手入力することなしに、例えば、携帯電話機による送受信だけでこのネットワーク設定をすることが可能になる。
【００１５】
また、上記携帯端末機とルーターは直接接続されるように構成してもよい。
【００１６】
また、上記携帯端末機とルーターは情報端末機を介して接続されるように構成してもよい。
【００１７】
ここで、上記「情報端末機」の中には、パーソナルコンピューター、ＰＤＡ、ゲーム機、ホームサーバー、通信変換機等が含まれる。
【００１８】
また、上記サーバーは、ルーターのメーカー名、機種名、型番等のルーター特定情報が入力されるとそのルーター特定情報から設定プログラムデーターベースを検索し、この検索された設定プログラムと生成されたルーター設定情報を携帯端末機に送信するように構成することができる。
【００１９】
また、上記設定プログラムは、携帯端末機で読み取り、取得されたＵＲＬ（Ｕｎｉｆｏｒｍ  Ｒｅｓｏｕｒｃｅ  Ｌｏｃａｔｏｒ）に基づき、サーバーをルーターのメーカーサイトへアクセスさせ、該メーカーサイトから取得するようにしてもよい。
【００２０】
このようにすると、サーバーは設定プログラムを格納するデーターベースのようなものを具備する必要がなくなり、サーバーの容量を少なく構成できる。
【００２１】
また、上記携帯端末機とルーターとは短距離通信手段により接続されるように構成してもよい。
【００２２】
上記短距離通信手段としては、ＩｒＤＡ等の赤外線通信やＢｌｕｅｔｏｏｔｈ等がある。
【００２３】
また、上記ルーター設定情報は、ルーターのメーカー名、機種名、型番等のルーター特定情報がサーバーに入力されると、このルーター特定情報に基づいて生成されるようにしてもよい。
【００２４】
また、上記ルーター設定情報の中には、少なくともＩＰアドレス取得方法、接続ユーザー名、接続パスワードが含まれるように構成してもよい。
【００２５】
第２の本発明は、インターネットに接続可能なルーターのネットワーク設定方法において、上記ネットワークを構成するサーバーは、ルーター特定情報を取得するとともに、この取得したルーター特定情報に基づいて設定プログラムを携帯端末機に送信し、この携帯端末機を介して上記ルーターをインターネットに接続させることを特徴とする。
【発明の効果】
【００２６】
本発明によると、以下の作用効果を奏する。
【００２７】
（１）ルーターのネットワーク設定が、業者に依頼して設定してもらったり、自己によって必要な設定情報を１つ１つ手入力したりすることなく、かつ、ルーターの設定に関する専門的知識やネットワーク知識を必要とせず、携帯電話機をはじめとする携帯端末機による送受信だけで、このネットワーク設定を可能になる。
【００２８】
（２）また、ルーターのネットワーク設定が携帯電話機の遠隔操作によりできる。
【発明を実施するための最良の形態】
【００２９】
以下、この発明に係るネットワーク設定システム及びネットワーク設定方法の実施の形態を添付図面を参照して詳細に説明する。なお、実施形態の説明にあたっては、携帯端末機として携帯電話機を用い、情報端末機としてパーソナルコンピューター（以下「ＰＣ」という。）を用いた場合について説明する。
【００３０】
図１は、この発明に係るネットワーク設定システムの一実施の形態を示す全体図である。
【００３１】
図１におけるユーザーＡに関するこの実施の形態のネットワーク設定システム１００は、例えば、プロバイダ等のネットワーク接続会社が所有するインターネット１０上のサーバー６０と、このサーバー６０に携帯電話基地局２０−Ａを介して接続可能なユーザーが携帯する携帯電話機３０−Ａ及びこの携帯電話機３０−Ａと通信可能なユーザーが所有するルーター４０−Ａを具備して構成される。
【００３２】
サーバー６０は、設定プログラムデーターベース６１、ルーター特定情報入力手段６２、検索手段６３、結合手段６４、ルーター設定情報生成手段６５、保存手段６６及び通信手段６７を具備している。
【００３３】
この設定プログラムデーターベース６１には、ルーター４０−Ａをインターネット１０に接続するために必要な設定プログラムが記憶管理されている。すなわち、この設定プログラムデーターベース６１には、例えば、後述するルーター設定情報の１つ１つをルーター４０−Ａに設定させるよう記憶された設定プログラムが、ルーター４０−Ａの各メーカー毎、型番毎等に分類されて記憶管理されている。例えば、この設定プログラムは、ｉモード対応の携帯電話機でダウンロードし利用できるアプリケーションであるｉアプリで構成されていてもよい。
【００３４】
このように、上記設定プログラムデーターベース６１にこの設定プログラムをメーカー、型番毎等に分類して記憶させているのは、ルーターの設定方法はメーカー、機種や型番等が異なれば設定の仕方が異なってくるからである。
【００３５】
また、ルーター特定情報入力手段６２に入力される情報としては、例えば、ユーザーのメールアドレス、所有するルーター４０−Ａのメーカー名、機種名、型番等である。このルーター特定情報入力手段６２には、例えば、使用者からのＦＡＸ、メール、手紙等に記載された情報に基づいてルーター特定情報が入力される。
【００３６】
このルーター特定情報入力手段６２に入力された情報は、検索手段６３とルーター設定情報生成手段６５に送られる。
【００３７】
検索手段６３は、上記設定プログラムデーターベース６１の中からこの入力されたルーター特定情報に対応する設定プログラムを検索し、この検索された設定プログラムを結合手段６４に送るよう構成されている。
【００３８】
すなわち、設定プログラムデーターベース６１にはメーカー毎、機種毎等により分類されて設定プログラムが記憶管理されていることから、この分類の中から上記入力されたルーター特定情報のうちのユーザーが所有するルーターのメーカー名、機種名、型番等に関する情報に合致する設定プログラムを検索手段６３に検索させ、この検索された設定プログラムが結合手段６４に送られるよう構成されている。
【００３９】
生成手段６５は、ルーター特定情報入力手段６２に入力されたルーター特定情報に基づいてルーター設定情報を生成し、この生成されたルーター設定情報を結合手段６４と保存手段６６に送るよう構成されている。
【００４０】
このように、ルーター特定情報入力手段６２に入力されたルーター特定情報がこの生成
手段６５に入力されるような構成になっているのは、ルーター特定情報のうちのユーザーを特定する情報（例えば、メールアドレス等）からルーター設定情報を生成し、この生成されたルーター設定情報をこのユーザー別に保存手段６６に保存するような構成としているからである。
【００４１】
ここで、ルーター設定情報とは、ルーター４０−Ａをインターネットに接続させるために必要な設定情報であり、その一例を図１２に示し、各設定項目に関して以下説明する。
【００４２】
設定項目１のＩＰ取得方法には、ＩＰ（Ｉｎｔｅｒｎｅｔ  Ｐｒｏｔｏｃｏｌ）アドレス、すなわち、インターネットに接続されているコンピューターを識別するための各コンピューターに割り振られる３２ビットの数字列であり、ここでは、ルーターのインターネット側のインターフェースに割り当てられるＩＰアドレスを意味する。このＩＰアドレスを割り当てる方法としては、インターネット接続サービスによって異なるものであるため、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）による自動取得による方法とするか、あるいは、固定とするかの設定情報が入力されている。
【００４３】
設定項目２のＩＰアドレスの設定情報には、上記設定項目１のＩＰアドレスの取得方法が固定の場合に、ＩＰアドレス、サブネットマスク、ゲートウェイ、ＤＮＳサーバーに関する設定情報が入力されている。
【００４４】
ここで、サブネットマスクとは、インターネット上で１つのネットワーク内にあると認識される端末を、仮想的に複数のネットワーク（サブネット）に分けて管理するための仕組みであり、ゲートウェイとは、ネットワーク同士を接続するときに必要なハードウェアやソフトウェアのことであり、ＤＮＳサーバーとは、インターネットに接続されているコンピューターを識別する文字列（ドメイン名）を、数字列であるＩＰアドレスに変換するサーバーである。
【００４５】
設定項目３の接続手順の設定情報には、例えば、ＰＴＰｏＥ（Ｐｏｉｎｔ  Ｔｏ  Ｐｏｉｎｔ  ｏｖｅｒ  Ｅｔｈｅｒｎｅｔ（登録商標））、すなわち、一般加入電話回線やＩＳＤＮ回線の「ダイヤルアップ接続」で行われる回線接続処理、及びユーザー認証処理を有線ＬＡＮ用の通信回線であるイーサネット（登録商標）上で行う機能に関する設定情報が入力されている。このＰＴＰｏＥは、多くのＡＤＳＬ接続サービスで利用されており、この設定に関しては後述する認証情報（４及び５）は必ず設定しなければならない。
【００４６】
設定項目４の接続ユーザー名及び設定項目５の接続パスワードの設定情報には、認証情報、すなわち、ルーターの使用者がネットワークにログインする際に当該使用者を識別するための識別子が入力されている。
【００４７】
この認証情報は、ＣＡＴＶのように認証情報が必要でないインターネット回線を使用している場合には、認証情報の設定が不要の場合もあるが、この認証情報が必要なインターネット回線を使用する場合には、これを設定しないとインターネットに接続することができないので、このような場合にのみこの設定情報がルーターに設定される。
【００４８】
設定項目６のセキュリティ設定の設定情報には、無線ＬＡＮ等を用いてインターネット１０に接続する場合の暗号化種別の設定に関する情報が入力されている。
【００４９】
ここで、暗号化とは、インターネットなどのネットワークを通じてデジタルデータをやり取りする際に、通信途中で第３者に盗み見られたり改ざんされたりされないよう、決まった規則に従ってデータを変換することを言う。暗号化、複合化には暗号表に当たる「鍵」を使うが、対になる２つの鍵を使う公開鍵暗号と、どちらにも同じ鍵を用いる秘密鍵暗号がある。前者には、数学の因数分解を利用してデータの暗号化を行うＲＳＡ、離散対数問題と呼ばれる数学を応用したＥｌＧａｍａｌ、楕円曲線暗号などがあり、後者には、アメリカ政府標準のＤＥＳ、データを６４ビットのブロックに区切って暗号化するＩＤＥＡ、ＦＥＡＬ、ＭＩＳＴＹなどがあり、セキュリティ設定の設定情報には、このようなものが入力されている。
【００５０】
設定項目７の識別ＩＤには、無線ＬＡＮを用いてインターネット１０に接続する場合の接続相手を特定するＥＳＳＩＤ等が入力されている。
【００５１】
ここで、ＥＳＳＩＤ（Ｅｘｔｅｎｄｅｄ  Ｓｅｒｖｉｃｅ  Ｓｅｔ  Ｉｄｅｎｔｉｆｉｃａｔｉｏｎ）とは、無線ＬＡＮシステムで通信相手を認証するための符号であり、無線ＬＡＮに参加する親機と子機や子機同士に同じＩＤを設定することで、相互に通信が可能になる。無線ＬＡＮの規格、ＩＥＥＥ８０２．１１規格で規定している。
【００５２】
設定項目８の接続時間関連情報には、一定時間無通信の場合に接続を自動解除する設定に関する情報が入力されている。
【００５３】
設定項目９の使用許可設定は、セキュリティ対策のために使用するＩＰアドレスやポートを限定する場合に設定される情報が入力されている。
【００５４】
ここで、ポートとは、インターネット上の通信において、複数の相手と同時に接続を行うためにＩＰアドレスの下に設けられたサブ（補助）アドレスである。ＴＣＰ／ＩＰで通信を行うコンピューターはネットワーク内での住所にあたるＩＰアドレスを持っているが、複数のコンピューターと同時に通信するために、補助アドレスとして複数のポートを持っている。ポートの指定には０から６５５３５までの数字が使われるため、「ポート番号」とも呼ばれる。
【００５５】
設定項目１０のＶＰＮ設定情報には、トンネル数、トンネル名、鍵管理方法（自動あるいは手動）等に関する情報が入力されている。
【００５６】
また、結合手段６４は、検索手段６３により検出された設定プログラムと生成手段６５により生成されたルーター設定情報とを結合し、これを配信情報として通信手段に送るよう構成されている。
【００５７】
また、通信手段６７は、この配信情報をインターネット１０を介してユーザーが携帯する携帯電話機３０−Ａに送信し、ルーターのネットワーク設定が正常に終了したことを知らせる完了通知をルーター４０−Ａより受信し、この完了通知をユーザーの携帯する携帯電話機３０−Ａに送信するよう機能する。
【００５８】
また、保存手段６６は、生成手段６５で生成されたユーザー別のルーター設定情報をこの完了通知を通信手段６７が受信し、これを携帯電話機３０−Ａに送信するまで保存しておくように構成されている。
【００５９】
このように構成されているのは、ネットワーク設定が正常に終了せずユーザーから配信情報の再送信の要請があった場合において、改めてこのルーター設定情報を生成手段６５により生成する必要がないので、この再送信の要請に対し迅速にユーザーに配信情報を送信することが可能となるからである。
【００６０】
次に、本実施形態における携帯電話機３０−Ａの構成について、図２を用いて以下に説明する。
【００６１】
携帯電話機３０−Ａは、図２に示すように送受信手段３１、設定プログラム実行手段３２及び短距離通信手段３３を具備している。
【００６２】
送受信手段３１は、携帯電話基地局２０−Ａを介してインターネット１０に接続しサーバー６０とデータの送受信を行うものであり、例えば、サーバー６０から送信される配信情報を受信し、後述するサーバーからの完了通知を受信するよう機能する。
【００６３】
また、設定プログラム実行手段３２は、送受信手段３１によりサーバーから受信した設定プログラムを実行する。
【００６４】
この設定プログラム実行手段３２により設定プログラムが実行されると、この実行結果、すなわち、ルーター設定情報の夫々をルーター４０−Ａに設定させるような命令データが短距離通信手段３３を介してルーター４０−Ａに送信される。
【００６５】
また、短距離通信手段３３は、上記設定プログラム実行手段３２により実行されたプログラムの実行結果をルーター設定情報とともに、ルーター４０−Ａに向けて送信する。
【００６６】
すなわち、この設定プログラム実行手段３２と短距離通信手段３３により携帯電話機３０−Ａからルーター４０−Ａのネットワーク設定の遠隔操作が可能となる。
【００６７】
ここで、短距離通信手段３３は、例えば、ＩｒＤＡ、Ｂｌｕｅｔｏｏｔｈ等で構成されている。
【００６８】
なお、上記実施形態においては携帯端末機の一例として携帯電話機３０−Ａを用いて説明したが、上記のような構成、機能を有するのであれば、携帯電話機の代わりに他の携帯端末機、例えば、ＰＤＡ等でもよい。
【００６９】
また、この実施の形態のネットワーク設定システム１００におけるルーター４０−Ａは、図３に示すように短距離通信手段４１、設定手段４２、インターネット接続手段４３を具備している。
【００７０】
ここで、ルーター４０−Ａは、異なるネットワークを相互接続する機器であり、ローカルルーター、リモートルーター、ＩＳＤＮルーター、ＩＳＤＮダイヤルアップルーターや、ＡＤＳＬ、ＣＡＴＶあるいはＦＴＴＨ接続に使用するブロードバンドルーター等である。
【００７１】
短距離通信手段４１は、携帯電話機３０−Ａと通信を行うものであり、例えば、ＩｒＤＡ、Ｂｌｕｅｔｏｏｔｈ等で構成されており、かつ、上記携帯電話機３０−Ａに対応するもの、すなわち、通信可能であるもので構成される。例えば、携帯電話機３０−Ａの短距離通信手段３３がＩｒＤＡで構成されていれば、このルーター４０−Ａの短距離通信手段４１もＩｒＤＡで構成されている必要がある。
【００７２】
また、設定手段４２は、携帯電話機３０−Ａにより設定プログラムが実行されこの実行結果がルーター設定情報とともにルーター４０−Ａに送信されてくると、ルーター４０−Ａにインターネットの接続に必要なネットワーク設定を行う。
【００７３】
このインターネット１０の接続に必要な設定が正常に終了すると、ルーター４０−Ａはインターネット１０に接続が可能となる。
【００７４】
例えば、ＡＤＳＬ回線を利用してインターネット接続を試みる場合においては、このルーター４０−Ａを電話回線に上記設定が正常に完了したことをサーバーに知らせるべく、完了通知をインターネット接続手段４３を用いて送信する。
【００７５】
一方、この設定が正常に完了しない場合には、未だインターネット１０に接続することはできないため、設定未完了を知らせるべくインターネット接続手段４３を用いて携帯電話機３０−Ａにステータスを送信する。
【００７６】
ここで、ステータスとは、設定未完了を知らせる情報であり、例えば、これには、このネットワーク設定システムのどの段階で不具合を生じたかを知らせる情報が含まれているように構成してもよい。
【００７７】
また、図１におけるユーザーＢに関するこの実施の形態のネットワーク設定システム１００は、例えば、プロバイダ等のネットワーク接続会社が所有するインターネット１０上のサーバー６０と、このサーバー６０に携帯電話基地局２０−Ｂを介して接続可能な使用者が所有する携帯電話機３０−Ｂと、この携帯電話機３０−Ｂと通信が可能なＰＣ５０−Ｂ及びこのＰＣ５０−Ｂと通信可能なユーザーが所有するルーター４０−Ｂを具備するという構成、すなわち、上記した図１におけるユーザーＡに関するネットワーク設定システム１００の実施の形態に、更に、ＰＣ５０−Ｂを具備するという構成である。
【００７８】
本実施形態おいては、携帯電話機３０−Ｂが直接ルーター４０−Ｂと通信せずに、ＰＣ５０−Ｂを介して通信する点において、上記した図１におけるユーザーＡのネットワーク設定システム１００の実施の形態と異なる。
【００７９】
例えば、本実施形態においては、図４に示す携帯電話機３０−Ｂの送受信手段３１がインターネット１０を介して配信情報を受信し、この受信した配信情報をＩｒＤＡ、Ｂｌｕｅｔｏｏｔｈ等から構成される図４に示す短距離通信手段３３によりＰＣ５０−Ｂに送信する。
【００８０】
ここで、ＰＣ５０−Ｂは、図４に示すように、携帯電話機３０−Ｂと通信を行うための短距離通信手段５１、短距離通信手段５１により送信された配信情報に含まれる設定プログラムを実行するための設定プログラム実行手段５２及びルーター４０−Ｂと通信を行うための通信手段５３を具備して構成されている。
【００８１】
この短距離通信手段５１は、携帯電話機３０−Ｂから配信情報を受信し、ルーターのネットワーク設定が正常に終了しないことを知らせる通知であるステータスを携帯電話機３０−Ｂに送信するよう機能するものである。
【００８２】
短距離通信手段５１は、例えば、ＩｒＤＡ、Ｂｌｕｅｔｏｏｔｈ等で構成されており、かつ、上記携帯電話機３０−Ｂに対応するもの、すなわち、通信可能であるもので構成される。例えば、図４に示す携帯電話機３０−Ｂの短距離通信手段３３がＩｒＤＡで構成されていれば、このＰＣ５０−Ｂの短距離通信手段５１もＩｒＤＡで構成されている必要がある。
【００８３】
また、設定プログラム実行手段５２は、上記受信した配信情報に含まれる設定プログラムを実行し、この実行結果を通信手段に送るように機能する。
【００８４】
この設定プログラム実行手段５２により設定プログラムが実行されると、この実行結果、すなわち、ルーター設定情報の夫々をルーター４０−Ｂに設定させるような命令データが短距離通信手段５３を介してルーター４０−Ｂに送信される。
【００８５】
また、短距離通信手段５３は、上記設定プログラム実行手段５２により実行されたプログラムの実行結果をルーター設定情報とともに、ルーター４０−Ｂに向けて送信する。
【００８６】
すなわち、この設定プログラム実行手段５２と短距離通信手段５３によりＰＣ５０−Ｂからルーター４０−Ｂのネットワーク設定の遠隔操作が可能となる。
【００８７】
このようにＰＣ５０−Ｂが設定プログラムを実行し、ルーター４０−Ｂのネットワーク設定を行うことから、本実施形態の携帯電話機３０−Ｂは、配信情報をサーバー６０から受信しこのＰＣ５０−Ｂに送信するという、いわば配信情報の橋渡しをすればよいので、図４に示すように送受信手段３１と短距離通信手段３３から構成され、特別に設定プログラム受信手段のような機能を有さなくてよい。
【００８８】
また、ルーター４０−Ｂは、図４に示すように送受信手段４４、設定手段４２及びインターネット接続手段４３を具備している。
【００８９】
この送受信手段４４は、上記ＰＣ５０−Ｂから送信される設定プログラムの実行結果とルーター設定情報とを受信し、上記したステータスをＰＣ５０−Ｂに送信するように機能する。
【００９０】
なお、本実施形態におけるルーター４０−Ｂには、携帯電話機３０−Ｂと直接通信をしないので、図４に示すように特別に短距離通信手段のようなものは具備していない。
【００９１】
なお、ＰＣ５０−Ｂとルーター４０−Ｂは、例えば、ＬＡＮ（Ｌｏｃａｌ  Ａｒｅａ  Ｎｅｔｗｏｒｋ）等で有線接続あるいは無線接続されている。
【００９２】
また、本実施形態においては、ルーター４０−Ｂと携帯電話機３０−Ｂは直接通信をしないことから、上記したネットワーク設定が正常に完了しなかったことを知らせる通知であるステータスは、このルーター４０−Ｂの送受信手段４４がＰＣ５０−Ｂの通信手段５３にこれを送信し、このＰＣ５０−Ｂの短距離通信手段５１がこれを携帯電話機３０−Ｂに送信し、この短距離通信手段３３がこれを受信するように構成されている。
【００９３】
図５は、図１の実施の形態のユーザーＡに関するネットワーク設定システム１００の全体動作を説明する動作説明図であり、これを用いて図１に示した本発明のネットワーク設定システムの一実施の形態の動作説明をする。
【００９４】
本実施形態のシステム１００では、最初に、ユーザーよりＦＡＸ、メール等で得たルーター特定情報を、サーバー６０のルーター特定情報入力手段６２が入力する（ステップ１００）。すると、サーバー６０の設定プログラムデーターベース６１に記憶管理されている設定プログラムの中から、ルーター特定情報のルーターのメーカー名、機種名、型番等の情報と合致するものを、検索手段６３が検索する（ステップ１０１）。
【００９５】
この検索された設定プログラムに、ルーター特定情報に基づき生成手段６５で生成されたルーター設定情報を結合手段６４が結合し（ステップ１０２）、この結合結果を配信情報として通信手段６７がユーザーの携帯電話機３０−Ａに送信し、保存手段６６はルーター設定情報を保存する（ステップ１０３）。
【００９６】
次に、上記送信された配信情報を携帯電話機３０−Ａの送受信手段３１が受信し（ステップ２００）、この受信した配信情報に含まれる設定プログラムを設定プログラム実行手段３２が実行し（ステップ２０１）、更に、この実行結果とルーター設定情報を短距離通信手段３３がルーター４０−Ａに向けて送信する（ステップ２０２）。
【００９７】
この送信された設定プログラムの実行結果とルーター設定情報をルーター４０−Ａの短距離通信手段４１が受信し（ステップ４００）、この受信した情報に基づき設定手段４２がネットワーク設定を行う（４０１）。
【００９８】
上記ネットワーク設定が正常に完了した場合（ステップ４０２のＹＥＳ）には、インターネット接続手段４３が接続可能になったインターネット１０を介してサーバーへ完了通知を送信し（ステップ４０３）、サーバー６０の通信手段がこの完了通知を受信し（ステップ１０４）、更に、この受信した完了通知を携帯電話機３０−Ａに送信するとともに、ルーター設定情報を削除する（ステップ１１３）。次に、この送信された完了通知を携帯電話基地局２０−Ａを介して携帯電話機３０−Ａの送受信手段３１が受信し（ステップ２０３）、この完了通知を画面に表示する（ステップ２０６）。
【００９９】
一方、上記ネットワーク設定が正常に完了しなかった場合（ステップ４０２のＮＯ）には、ネットワーク設定が正常に終了しなかったことを知らせる通知であるステータスを携帯電話機３０−Ａに短距離通信手段４１が送信し（ステップ４０４）、このステータスを携帯電話機３０−Ａの短距離通信手段３３が受信し（ステップ２０３）、このステータスを画面に表示する（ステップ２０４）。
【０１００】
図６は、図１の実施の形態のユーザーＢに関するネットワーク設定システム１００の全体動作を説明する動作説明図であり、これを用いて図１に示した本発明のネットワーク設定システムの一実施の形態の動作説明をする。
【０１０１】
なお、ステップ１００からステップ２００及びステップ４０１以降の動作は、上記したユーザーＡに関するネットワーク設定システム１００と同様であるので、異なる部分のみ以下に説明する。
【０１０２】
ステップ１００からステップ２００まで終了後、携帯電話機３０−Ｂの短距離通信手段３３はＰＣ５０−Ｂにむけて配信情報を送信し（ステップ２０７）、ＰＣ５０−Ｂの短距離通信手段５１は、携帯電話機３０−Ｂから送信された配信情報を受信し（ステップ３００）、この配信情報に含まれる設定プログラムを設定プログラム実行手段５２が実行し（ステップ３０１）、この実行結果とルーター設定情報を通信手段がルーター４０−Ｂに送信する（ステップ３０２）。すると、ルーター４０−Ｂの送受信手段４４がこれを受信する（ステップ４００）。以降は、図５のステップ４０１以降と同様の動作を行う。
【０１０３】
図７におけるユーザーＡに関するこの実施の形態のネットワーク設定システム２００は本発明の実施の形態のネットワーク設定システム２００の全体構成を示す図である。
【０１０４】
図７において、図１と同一の符号は同一又は相当部分であり、８０、８１、８２は例えば、ルーター４０−ＡのメーカーのＦＴＰ（Ｆｉｌｅ  Ｔｒａｎｓｆｅｒ  Ｐｒｏｔｏｃｏｌ）サイトであり、７０−Ａは上記各メーカーサイトにアクセスするためのＵＲＬ（Ｕｎｉｆｏｒｍ  Ｒｅｓｏｕｒｃｅ  Ｌｏｃａｔｏｒ）が記憶されているコード表である。
【０１０５】
本発明の実施の形態のネットワーク設定システム２００は、上記した図１の本発明の実施の形態のネットワーク設定システム１００と設定プログラムの取得の仕方を異にするものである。
【０１０６】
ここで、コード表７０−Ａは、例えば、上記各メーカーのルーター４０−Ａのマニュアルに記載されている２次元バーコードから構成されており、ルーター４０−Ｂの各メーカーの機種毎、型番毎等の分類に対応した２次元バーコードで構成されており、換言すれば、このバーコードには、ユーザーの使用するルーター４０−Ａを特定する情報が含まれていると言える。
【０１０７】
また、図８において、本実施形態の携帯電話機３０−Ａの構成図を示すが、図２と同一の符号は同一又は相当する部分であり、図２の携帯電話機３０−Ａの構成に、更に、コード表７０−Ａを読み取る読取手段３５及びこの読み取られた情報を解析する解析手段３４が具備されている。
【０１０８】
この読取手段３５は、例えば、２次元バーコード等から構成されるコード表７０−Ａのコード情報を読み取り、この読み取ったコード情報を解析手段３４が解析し、使用者が設定プログラム及びルーター設定情報を取得するのに必要なＵＲＬを取得するよう構成されている。
【０１０９】
また、送受信手段３１は、上記図１で示した機能の他に、この解析手段３４が解析したＵＲＬを入力するとサーバー６０へアクセスするような機能をも備えている。
【０１１０】
また、図７において、本実施形態のサーバー６０の構成図を示すが、図１と同一の符号は同一又は相当する部分であり、通信手段６７、結合手段６４、生成手段６５、保存手段６６及び抽出手段６８を具備している。
【０１１１】
通信手段６７は、例えば、上記携帯電話機３０−Ａが２次元バーコード等から構成されるコード表７０−Ａから読み取り、解析して得た上記ＵＲＬにより、携帯電話機３０−Ａからアクセスされ、このＵＲＬに基づきルーター４０−Ａの各メーカーサイト８０〜８２にアクセスし、このメーカーサイト８０〜８２にある設定プログラムをダウンロードするように機能する。
【０１１２】
このメーカーサイト８０〜８２は、例えば、各メーカーサイトにおいて設定プログラム
が機種毎、型番毎等に分類して格納されたデーターベースのようなものを具備し、このサイトにアクセスがあると、このデーターベースにある設定プログラムをアップロードするように構成されている。
【０１１３】
また、抽出手段６８は、携帯電話機３０−Ｂから上記ＵＲＬに関する情報を通信手段６７が受信すると、この情報からユーザーを特定する情報、例えば、メールアドレスを抽出し、これを生成手段６５に送るよう構成されている。
【０１１４】
また、生成手段６５は、この送られてきたメールアドレスなどの情報に基づいて、ユーザー別にルーター設定情報を生成し、これを結合手段６４と保存手段６６に送るよう構成されている。
【０１１５】
次に結合手段６４においては、上記メーカーサイト８０〜８２からダウンロードした設定プログラムと上記生成手段６５により生成されたルーター設定情報を結合し、これを配信情報として通信手段に送るよう構成されている。
【０１１６】
なお、本実施形態におけるルーター４０−Ｂも上記したネットワーク設定システム１００のルーター４０−Ａと構成において異なるところはない。
【０１１７】
なお、図７におけるユーザーＢに関するこの実施の形態のネットワーク設定システム２００は、本発明の実施の形態のネットワーク設定システム２００の全体構成を示す図であるが、本実施形態は、上記ユーザーＡにおけるネットワーク設定システム２００の実施形態にＰＣ５０−Ｂが更に付加されて構成されたものであり、サーバー６０の構成はこのユーザーＡにおけるネットワーク設定システム２００と同様であり、一方、携帯電話機３０−Ｂ、ＰＣ５０−Ｂ及びルーター４０−Ｂは、上記ユーザーＢにおけるネットワーク設定システム１００の構成と同様であることから、この構成の説明は省略する。
【０１１８】
図９は、図７の実施の形態のユーザーＡに関するネットワーク設定システム２００の全体動作を説明する動作説明図であり、これを用いて図７に示した本発明のネットワーク設定システムの一実施の形態の動作説明をする。
【０１１９】
なお、本実施の形態においては、設定プログラムの取得の仕方のみが、図１に示すユーザーＡに関するネットワーク設定システム１００と異なることから、図５と異なる部分のみ以下に説明する。
【０１２０】
本システム２００では、最初に、２次元バーコード等から構成されるコード表７０−Ａ
から携帯電話機３０−Ａの読取手段３５がバーコードを読み取り（ステップ２０８）、この読み取ったバーコードを解析手段３４が解析しＵＲＬを取得する（ステップ２０９）。すると、このＵＲＬから送受信手段３１がサーバー６０にアクセスする（ステップ２１０）。
【０１２１】
次に、サーバーの通信手段６７がこの携帯電話機３０−Ａからアクセスを受けると、このアクセスを受けたＵＲＬにある情報からルーター４０−Ａの各メーカーのサイト８０〜８２へ通信手段６７がアクセスする（ステップ１０６）。
【０１２２】
このアクセスを受けたメーカーサイト８０〜８２は、設定プログラムを自動配信するサイトで構成されており、このサイトに通信手段６７がアクセスすると自動的に設定プログラムがダウンロードされる（ステップ１０７）。
【０１２３】
このダウンロードされた設定プログラムと生成手段６５により生成されたルーター設定情報を結合手段が結合する（ステップ１０８）。以降は、図５と同様である。
【０１２４】
図１０は、図７の実施の形態のユーザーＢに関するネットワーク設定システム２００の全体動作を説明する動作説明図であり、ステップ２０８〜ステップ１０３は図１０と同様であり、これ以降は、図６と同様であるので説明を省略する。
【図面の簡単な説明】
【０１２５】
【図１】この発明におけるルーターのネットワーク設定システムの一実施の形態を示す全体構成図。
【図２】図１のユーザーＡにおける携帯端末機の構成図。
【図３】図１のユーザーＡにおけるルーターの構成図。
【図４】図１のユーザーＢにおけるＰＣ、携帯電話機及びルーターの構成図。
【図５】図１のユーザーＡにおけるシステム全体の処理の流れの説明図。
【図６】図１のユーザーＢにおけるシステム全体の処理の流れの説明図。
【図７】この発明におけるルーターのネットワーク設定システムの一実施の形態を示す全体構成図。
【図８】図７のユーザーＡにおける携帯端末機の構成図。
【図９】図７のユーザーＡにおけるシステム全体の処理の流れの説明図。
【図１０】図７のユーザーＢにおけるシステム全体の処理の流れの説明図。
【図１１】配信情報の具体例を示す図。
【符号の説明】
【０１２６】
１０  インターネット
２０−Ａ  ユーザーＡの携帯電話基地局
２０−Ｂ  ユーザーＢの携帯電話基地局
３０−Ａ  ユーザーＡの携帯電話機
３０−Ｂ  ユーザーＢの携帯電話機
３１  送受信手段
３２  設定プログラム実行手段
３３  短距離通信手段
４０−Ａ  ユーザーＡのルーター
４０−Ｂ  ユーザーＢのルーター
４１  短距離通信手段
４２  設定手段
４３  インターネット接続手段
４４  送受信手段
５０−Ｂ  ユーザーＢのＰＣ
５１  短距離通信手段
５２  設定プログラム実行手段
５３  通信手段
６０  サーバー
６１  設定プログラムデーターベース
６２  ルーター特定情報入力手段
６３  検索手段
６４  結合手段
６５  生成手段
６６  保存手段
６７  通信手段
６８  抽出手段
７０−Ａ  ユーザーＡが使用するコード表
７０−Ｂ  ユーザーＢが使用するコード表
８０  メーカーサイトＡ
８１  メーカーサイトＢ
８２  メーカーサイトＣ
【図１】
2005236398.tif 000003
【図２】
2005236398.tif 000004
【図３】
2005236398.tif 000005
【図４】
2005236398.tif 000006
【図５】
2005236398.tif 000007
【図６】
2005236398.tif 000008
【図７】
2005236398.tif 000009
【図８】
2005236398.tif 000010
【図９】
2005236398.tif 000011
【図１０】
2005236398.tif 000012
【図１１】
2005236398.tif 000013